(57)【特許請求の範囲】
【請求項１】
スリットバルブを中栓に取付け、中栓とキャップによってスリットバルブを定位置に保持し容器口筒部に取着するようにした内容物吐出容器において、
前記中栓は、上壁と、その上面の周縁部に立設され内周に環状膨出部と係合面を設けたバルブ保持筒と、上壁の内周縁から下垂し、外周が、容器口筒部に嵌合する嵌合筒とを具備し、
前記スリットバルブは、バルブヘッドと、筒壁と該筒壁の外周に連設されたフランジとを具えたバルブ基体とからなり、
前記筒壁が、外周下端部に、中栓の嵌合筒内周に嵌合する嵌合面を具備し、
前記フランジが、フランジ上面に設けられた保持リングと、フランジ外周に設けられ、中栓のバルブ保持筒の係合面に嵌合する膨出突条とを具備していることを特徴とする内容物吐出容器におけるスリットバルブ保持手段。
【請求項２】
スリットバルブを中栓に取付け、中栓とキャップによってスリットバルブを定位置に保持し容器口筒部に取着するようにした内容物吐出容器において、
前記中栓は、上壁と、その上面に立設され内周に環状膨出部と係合面を設けたバルブ保持筒と、上壁の内周縁から下垂し、外周が、容器口筒部に嵌合する嵌合筒とを具備し、
前記上壁は、その内周縁に内方に突出するよう設けられた環状突条を具備し、
前記スリットバルブは、バルブヘッドと、筒壁と該筒壁の外周に連設されたフランジとを具えたバルブ基体とからなり、
前記筒壁のフランジの下方には、中栓に設けた前記環状突条に係合する係合溝と嵌合突条とを設けた嵌合面を具備し、
前記フランジが、フランジ上面に設けられた保持リングと、フランジ外周に設けられ、中栓のバルブ保持筒の係合面と嵌合する嵌合する膨出突条とを具備していることを特徴とする内容物吐出容器におけるスリットバルブ保持手段。
【請求項３】
スリットバルブを中栓に取付け、中栓とキャップによってスリットバルブを定位置に保持し容器口筒部に取着するようにした内容物吐出容器において、
前記中栓は、上壁と、その上面に立設され内周に環状膨出部と係合面を設けたバルブ保持筒と、上壁下面から下垂し、外周が、容器口筒部に嵌合する嵌合筒と、上壁上面に立設された係合リングとを具備し、
前記スリットバルブは、バルブヘッドと、筒壁と筒壁下端に設けたフランジを具えたバルブ基体とからなり、
前記フランジが、フランジ上面に設けられた保持リングと、フランジ外周に設けられ、中栓のバルブ保持筒の係合面と嵌合する膨出突条と、フランジ下面に設けられ、中栓の上壁上面に立設された係合リングと係合する係合溝とを具備していることを特徴とする内容物吐出容器におけるスリットバルブ保持手段。
【請求項４】
キャップは、中蓋と上蓋とからなり、
前記中蓋は、下筒と上筒、上壁とを具備し、
下筒の上端部内周に、中栓を保持するための嵌合面と、嵌合突条が設けられ、
上壁下面に、スリットバルブ取付時に、スリットバルブの上面と保持リングに係合するバルブ保持筒が垂設されていることを特徴とする請求項１〜３記載のスリットバルブ保持手段。
【発明の詳細な説明】
【０００１】
【発明の属する技術分野】
本発明は、口筒部にスリットバルブを取着した内容物吐出容器、とくにスリットバルブを中栓に取付け、容器口部にキャップによって嵌着するようにしたスリットバルブの保持手段に関する。
【０００２】
【従来の技術】
容器口部に弾性を有する柔軟な材料により成型され、バルブヘッドのオリフィス形成壁にスリットを形成したスリットバルブを装着し、容器胴部を手で押圧することによってスリットバルブを開閉させ、所定量の内容液を吐出するようにした吐出容器は、例えば特開昭６１−３３９２７号公報、特開平７−１３２９７９号公報にみられるよう従来より知られている。
【０００３】
【発明が解決しようとする課題】
しかしながら、上記特開昭６１−３３９２７号公報記載のものでは、スリットバルブのフランジをネジ式の固着手段により容器口部上端に締着するようにしているので、フランジと容器口部の軸心を正確に合わせて位置付けすることは簡単でなく、また、スリットバルブの締着時に固着手段の回転によりフランジにゆがみが発生するという問題があった。
そのため、スリットバルブが、設計されたとおりの所定量の内容物が吐出できないという問題が生じた。
【０００４】
また、特開平７−１３２９７９号公報記載のものでは、フランジ部分（３１）に設けたリム（３４）を、容器口部に設けた溝に嵌挿し、保持リング（２３）でフランジ部分（３１）を取着しているので、容器口部の構造が複雑になるとともに、溝内にリム（３４）を嵌挿することは簡単でなく、時には取付不良やゆがみが生じるという問題があった。
また、上記従来技術のいずれもが、スリットバルブを容器口部に直接取着しているので、スリットバルブが正確に位置付けられたか否かを事前に確認検査することもできなかった。
【０００５】
上記の問題点を解決する改善技術として、中栓をスリットバルブの保持体として利用し、スリットバルブを取着した中栓をキャップに装着し、該キャップを容器口部に嵌合することによって、スリットバルブを中栓を介して容器口部に取着するようにした吐出容器が提案されている。
しかしながら、上記改善技術は、スリットバルブの中栓への取着にあたって、スリットバルブの取付基部を中栓の上面に設けた嵌着部に嵌挿するようにしているが、取付基部を正確に位置決め嵌挿することは簡単でなく、時にはスリットバルブの取付不良やゆがみが出て、嵌挿のやり直しを必要とするという問題があった。
【０００６】
本発明は、上記の問題点を解決することを技術的課題として、スリットバルブを中栓に装着して容器口部に取着するようにした吐出容器において、スリットバルブの中栓への正確な取付を簡単にできるようにしたスリットバルブの保持手段を提供することを目的とする。
【０００７】
【課題を解決するための手段】
本発明は、上記の技術的課題を達成するため、スリットバルブ保持手段として、スリットバルブを中栓に取付け、中栓とキャップによってスリットバルブを定位置に保持し容器口筒部に取着するようにした内容物吐出容器において、前記中栓は、上壁と、その上面の周縁部に立設され内周に環状膨出部と係合面を設けたバルブ保持筒と、上壁の内周縁から下垂し、外周が、容器口筒部に嵌合する嵌合筒とを具備し、前記スリットバルブは、バルブヘッドと、筒壁と該筒壁の外周に連設されたフランジとを具えたバルブ基体とからなり、前記筒壁が、外周下端部に、中栓の嵌合筒内周に嵌合する嵌合面を具備し、前記フランジが、フランジ上面に設けられた保持リングと、フランジ外周に設けられ、中栓のバルブ保持筒の係合面に嵌合する膨出突条とを具備していることを特徴とする構成を採用する。
【０００８】
また、スリットバルブ保持手段について他の技術手段として、中栓が、上壁と、その上面に立設され内周に環状膨出部と係合面を設けたバルブ保持筒と、上壁の内周縁から下垂し、外周が、容器口筒部に嵌合する嵌合筒とを具備し、前記上壁は、その内周縁に内方に突出するよう設けられた環状突条を具備し、前記スリットバルブは、バルブヘッドと、筒壁と該筒壁の外周に連設されたフランジとを具えたバルブ基体とからなり、前記筒壁のフランジの下方には、中栓に設けた前記環状突条に係合する係合溝と嵌合突条とを設けた嵌合面を具備し、前記フランジが、フランジ上面に設けられた保持リングと、フランジ外周に設けられ、中栓のバルブ保持筒の係合面と嵌合する嵌合する膨出突条とを具備していることを特徴とする構成を採用する。
【０００９】
さらにまた、スリットバルブ保持手段について他の技術手段として、中栓が、上壁と、その上面に立設され内周に環状膨出部と係合面を設けたバルブ保持筒と、上壁下面から下垂し、外周が、容器口筒部に嵌合する嵌合筒と、上壁上面に立設された係合リングとを具備し、前記スリットバルブは、バルブヘッドと、筒壁と筒壁下端に設けたフランジを具えたバルブ基体とからなり、前記フランジが、フランジ上面に設けられた保持リングと、フランジ外周に設けられ、中栓のバルブ保持筒の係合面と嵌合する膨出突条と、フランジ下面に設けられ、中栓の上壁上面に立設された係合リングと係合する係合溝とを具備していることを特徴とする構成を採用する。
【００１０】
スリットバルブをキャップによって定位置に保持するために、キャップは、中蓋と上蓋とからなり、前記中蓋は、下筒と上筒、上壁とを具備し、下筒の上端部内周に、中栓を保持するための嵌合面と、嵌合突条が設けられ、上壁下面に、スリットバルブ取付時に、スリットバルブの上面と保持リングに係合するバルブ保持筒が垂設されていることを特徴とする構成を採用する。
【００１１】
【発明の実施の形態】
次に、本発明の第１実施形態について、図面を参照して説明する。
図１，２において、Ａは容器、Ｂはキャップ、Ｃは中栓、Ｄはスリットバルブである。
容器Ａは、可撓性を有する合成樹脂を素材として成型されており、円形の口筒部１と胴部２および底部３とからなっている。
口筒部１は、縮径部４と嵌合部５、拡径部６とからなり、嵌合部５の中間に嵌合突条７が設けられ、拡径部６の下端に胴部２の肩部との連続部に段部８が形成されている。
胴部２は扁平状に形成され、対向する扁平壁面９を押圧面として操作に応じて変形、復元可能としている。
容器Ａの内容物として、家庭用の洗剤、化粧料、食料等が、粉体、液体、粘性液、粘性流動物の形態で充填される。
【００１２】
図３に示すように、キャップＢは、合成樹脂によって成型され、中蓋Ｂ１と、該中蓋Ｂ１に被嵌される上蓋Ｂ２とからなっている。
中蓋Ｂ１は、下筒１０とその上端から延び縮径された上筒１１と、中央に開口１２を有する漏斗状の上壁１３を具えている。
下筒１０の周縁上端は段部１４となっており、下筒１０の上端部内周には、中栓Ｃに対する嵌合面１５が設けられ、その下側に嵌合突条１６が形成されている。
下筒１０の下部は、外方に拡径されて拡径部１７となっており、該拡径部１７の内周面に容器Ａの口筒部１の嵌合突条７に接合する係合面１８と嵌合突条１９が設けられている。
上筒１１の下部には、嵌合突条２０が設けられており、上壁１３の下面の所定個所にバルブ保持筒２１が垂設されている。
【００１３】
上蓋Ｂ２は、上壁２２と側壁２３とからなっており、上壁２２は、中蓋Ｂ１の上壁１３に接合する周端壁２４と該周端壁２４より凹んで位置する平壁２５とから形成され、平壁２５の下面には、係止リング２６が設けられている。
側壁２３の内周下部には、中蓋Ｂ１の嵌合突条２０に係合する嵌合溝２７が設けられている。
【００１４】
図４に示すように、中栓Ｃは、軟質または硬質の合成樹脂によって成型され、上壁３０と、該上壁３０の内周縁から下垂する嵌合筒３１と、上壁の上面３２周辺に立設されたバルブ保持筒３３とからなり、バルブ保持筒３３の内周面には、環状膨出部３４が設けられ、その下側の内周面はスリットバルブに対する係合面３５となっている。
嵌合筒３１の外周は、口筒部１の内周に嵌合され、上壁３０の外周は、キャップ中蓋Ｂ１の下筒１０の嵌合面１５に嵌合されるようになっている。
【００１５】
図５に示すように、スリットバルブＤは、シリコンゴム、その他のエラストマー、軟質の合成樹脂等によって成型されており、バルブ基体４０とバルブヘッド４１とを備えている。
バルブ基体４０は、筒壁４２と、該筒壁４２の外周面から突出するフランジ４３を備えており、筒壁４２のフランジ４３の下方は中栓Ｃの嵌合筒３１の内周に嵌合する嵌合面４４となっている。
フランジ４３上面には、断面台形の保持リング４５が突設され、フランジ４３の外周面４６には、膨出突条４７が形成されている。
【００１６】
バルブヘッド４１は、上面を球面状凹部としたオリフィス形成壁４８と、該オリフィス形成壁４８を支持するようにオリフィス形成壁４８の周縁から垂設する側壁４９とを具えており、該側壁４９の下部に、外周方向にレ字形に屈曲され、バルブ基体４０の筒壁４２上端に連なる薄肉の連結部５０が形成されている。
オリフィス形成壁４８の中央には、十字形のスリット５１が切り込まれており、オリフィス形成壁４８の下面には、スリット端５１ａを囲んで補強リブ５２が環状に形成されている。
スリット５１の切込み長さは、従来技術と同様に、内容物の粘度、一回毎に所望する使用量、スリットバルブの材質、形状に応じて設定される。
【００１７】
スリットバルブＤ、中栓Ｃ、キャップＢの容器Ａへの取着は、まず、スリットバルブＤを中栓Ｃに取着し、次いで、スリットバルブＤを取着した中栓ＣをキャップＢに嵌着し、スリットバルブＤを中栓ＣとキャップＢによって位置決めする。
次に、キャップＢを、内容物を充填した容器Ａの口筒部１に打栓することによって吐出容器が構成され、スリットバルブＤは、中栓Ｃを介して容器Ａの口筒部１に取着されるのである。
【００１８】
次に、取着時の作用効果について説明する。
スリットバルブＤの中栓Ｃへの取着に際しては、スリットバルブＤのフランジ４３部分が中栓Ｃ上面に向かって押圧され、バルブ基体４０が、中栓Ｃのバルブ保持筒３３内に押し込められる。
押し込み時には、バルブ基体４０の筒壁４２は、中栓Ｃの嵌合筒３１内周に沿って下降し、筒壁４２の嵌合面４４が嵌合筒３１内周に嵌合され、フランジ４３下面が、上壁の上面３２に全面的に接合して載置される。
その際、フランジ４３上面の保持リング４５とその周辺が押圧されることによって、フランジ４３の膨出突条４７と外周面４６が、環状膨出部３４を乗り越えて下降し、フランジ４３の下面が上壁の上面３２に接合し、フランジ４３の上周縁が環状膨出部３４で押さえられることによって、外周面４６が係合面３５に嵌合保持される。
【００１９】
中栓への取着は、スリットバルブを中栓に向かって押圧するだけでよく、取着完了時には、フランジ４３の外周面４６とバルブ保持筒の係合面３５内周、および筒壁４２の嵌合面４４と嵌着筒３１の内周が嵌合されることによって、円周方向の位置決めがされ、上壁の上面３２とバルブ保持筒３３の環状膨出部３４によって上下方向の位置決めが行われるのである。
ここでは、固定された中栓Ｃに対してスリットバルブＤを移動させるものとして説明したが、反対にスリットバルブＤを固定させ中栓ＣをスリットバルブＤに対して移動するようにしてもよく、押圧，押し込みの方向は相対的なもので、中栓Ｃを移動させる場合は方向は逆になる。
【００２０】
スリットバルブＤを保持した中栓ＣのキャップＢへの取付時には、中栓Ｃは、その上壁３０外周が、キャップ中蓋Ｂ１の下筒１０の嵌合面１５に嵌着され、嵌合突条１６によって位置決めされる。
その際中蓋Ｂ１のバルブ保持筒２１が、バルブ基体４０のフランジ４３上面と保持リング４５に係合し、スリットバルブＤは、キャップ中蓋Ｂ１のバルブ保持筒２１と中栓Ｃのバルブ保持筒３３によって正確に位置決め保持される。
次いで、バルブヘッド４１は、上蓋Ｂ２によって被蓋されるが、その際バルブヘッド４１の上端周縁が上蓋Ｂ２の係止リング２６によって外側から位置決めされ、バルブヘッド４１の妄動が阻止される。
以上のように、スリットバルブＤは、中栓ＣとキャップＢによって正確に位置決め保持されるのである。
【００２１】
次に、容器の使用態様と吐出作用について説明すると、上蓋Ｂ２を取り外し、バルブヘッド４１を露出させ、容器Ａの押圧面を手で押圧すると、容器内の内圧の増加とともに、バルブヘッド４１の側壁４９が上昇し、内圧が一定圧に達するとオリフィス形成壁４８の凹部が上昇し、スリット５１が開いてオリフィスが形成され、内容物が吐出される。
押圧を解くと、容器自体の復元力によって容器Ａが元の状態に復帰し、その際内圧が低下するので、バルブヘッド４１は元の状態に復元するとともにスリット５１が逆方向に開かれ大気が導入される。
内圧が大気圧に等しくなるとスリット５１が閉じられ、内容物の密封が維持される。
【００２２】
使用にあたって、使用者が一定圧以上の内圧となるよう容器Ａを瞬間的に押圧すると、少量で適量の内容物が吐出され、大量の内容物を必要とする場合は、くり返して押圧すると所望量の内容物を吐出させることができる。
吐出終了後に上蓋Ｂ２を被嵌すると、係止リング２６がバルブヘッド４１上端に係合し、バルブヘッド４１の側壁４９の上昇、オリフィス形成壁４８の変形を防ぐので、容器Ａを押圧してもバルブヘッド４１は作動しない。
【００２３】
次に、スリットバルブと中栓の構造を変更した第２実施形態について、図面を参照して説明する。
本実施形態は、前記第１実施形態において、スリットバルブのバルブ基体４０とそれに対応する中栓のバルブ保持構造を変更したもので、バルブヘッド４１の構成，中栓Ｃのキャップとの関連，キャップＢ，容器Ａの構成は、第１実施形態と同一である。
以下、変更点とその作用効果について説明する。
【００２４】
図６（ａ）に示すように、中栓Ｃａは、上壁３０ａと該上壁３０ａの内周縁から下垂する嵌合筒３１ａと、上壁の上面３２ａから立設され内周に環状膨出部３４ａを設けたバルブ保持筒３３ａとからなり、上壁３０ａの内周縁上端には、内方に突出する環状突条６０が設けられている。
図６（ｂ）に示すように、スリットバルブＤａは、バルブ基体４０ａとバルブヘッド４１ａとからなり、バルブ基体４０ａは、筒壁４２ａとフランジ４３ａとを備えている。
フランジ４３ａには、その上面に保持リング４５ａが突設され、その外周に、膨出突条４７ａが形成されている。
筒壁４２ａのフランジ４３ａ下方の嵌合面４４ａには、嵌合溝６１が形成され、その下方には、嵌合突条６２が設けられている。
【００２５】
スリットバルブＤａの中栓Ｃａへの取着にあたって、バルブ基体４０ａの嵌合面４４ａの嵌合突条６２が、中栓Ｃａの環状突条６０によって押圧され内方に偏寄しつつ下降する。
その際、バルブ基体４０ａの筒壁４２ａ，フランジ４３ａにも内方への偏寄力が伝達されるので、フランジの外周面４６ａ，膨出突条４７ａと、バルブ保持筒３３ａとの間の接触圧が減少し、フランジの外周面４６ａが環状膨出部３４ａを乗り越えることが容易となる。
取着完了時には、中栓Ｃａの環状突条６０が筒壁の嵌合面４４ａの嵌合溝６１にはまり込み、フランジの外周面４６ａは中栓Ｃａの係合面３５ａに嵌合保持されるので、位置決めが確実に行われ取着される。
その他の作用効果は、第１実施形態と同じである。
【００２６】
次に、スリットバルブと中栓の構造を変更した第３実施形態について、図面を参照して説明する。
本実施形態は、第２実施形態と同様にスリットバルブのバルブ基体とそれに対応する中栓の保持構造を変更したものである。
以下、変更点とその作用効果について説明する。
図７（ａ）に示すように、中栓Ｃｂは、上壁３０ｂ，嵌合筒３１ｂとバルブ保持筒３３ｂとからなっている。
上壁３０ｂは、嵌合筒３１ｂより内方に突出して形成されており、上壁３０ｂの上面３２ｂの所定位置には、係合リング７０が突設されている。
図７（ｂ）に示すように、スリットバルブＤｂは、バルブ基体４０ｂとバルブヘッド４１ｂとからなり、バルブ基体４０ｂは、筒壁４２ｂとその下端に設けられたフランジ４３ｂからなっている。
フランジ４３ｂの上面には、保持リング４５ｂが突設され、外周面４６ｂには膨出突条４７ｂが形成されている。
フランジ４３ｂの下面には、前記中栓に設けられた係合リング７０に係合する環状の係合溝７１が設けられ、該係合溝７１の外側は、周辺部７２となっている
。
【００２７】
スリットバルブＤｂの中栓Ｃｂへの取付に際して、バルブ基体４０ｂのフランジ４３ｂを押し込んでいくと、まず、フランジ４３ｂが中栓の保持リング４５ｂに接する位置になると、フランジ４３ｂの外周面４６ｂと膨出突条４７ｂは、環状膨出部３４ｂによって上方への偏寄力を受け、傾斜する。
フランジ４３ｂ下面の周辺部７２は、中栓Ｃｂの係合リング７０の外側とバルブ保持筒３３ｂとの間に傾斜して挿入され、挿入時の抵抗は少なくなる。
フランジ４３ｂが、中栓Ｃｂ上面に接するようになると、係合リング７０が係合溝７１にはまり込み、フランジの周辺部７２の傾斜を元の状態に戻し、係合リング７０とバルブ保持筒３３ｂとの間に位置決め保持される。
取着はスムースに行われて、取着完了時には、スリットバルブＤｂは、バルブ基体４０ｂの係合溝７１が中栓Ｃｂの係合リング７０に嵌合され、上下方向および円周方向への位置決めが正確に行われ保持される。
【００２８】
次に、容器Ａ、キャップＢに関する変形例について説明する。
容器Ａについて、前記各実施形態では容器Ａの胴部２を扁平状に形成したが、胴部２が押圧操作に応じて変形，復元可能なものであれば、円形容器，角形容器であってもよく、その形状は扁平状に限定されない。
また、容器Ａとしてチューブ容器も採用することができ、容器使用中の保存時には、容器は直立、横倒し、倒立のいずれの状態であってもよい。
【００２９】
容器ＡとキャップＢについて、前記各実施形態では容器Ａの口筒部１に嵌合突条７を設け、キャップ中蓋Ｂ１の下筒１０内周に嵌合面１５と嵌合突条１６を設け、キャップ中蓋Ｂ１を容器の口筒部１に打栓するようにしているが、図８に示すようにキャップＢを容器Ａの口筒部１に螺着するようにしてもよい。
図８において、８０は口筒部１外周に設けられたネジ、８１はキャップ中蓋Ｂ１の下筒１０内周に設けられたネジである。
中栓Ｃのバルブ保持筒３３の外周にはリブ８２が、キャップ中蓋Ｂ１の上筒１１の内周には回転止めリブ８３が設けられ、キャップＢと中栓Ｃは相互に廻動しないよう取着されるようにしている。
そのことにより、キャップＢの螺着時にキャップＡと中栓Ｃがずれることが防止され、両者が一体となって廻動するので、スリットバルブＤの取付に影響がでないようになっている。
【００３０】
また前記各実施形態では、上蓋Ｂ２の平壁２５下面の係止リング２６を、バルブヘッド４１上端周縁の外側に係合するよう設けているが、バルブヘッド４１上端周縁の内側に係合するように設けてもよい。
【００３１】
スリットバルブＤについて、前記各実施形態では、スリットバルブＤの側壁４９下端に薄肉の連結部５０を設け、側壁４９とオリフィス形成壁４８が吐出時に上昇するようにしているが、図９に示すように、側壁４９とバルブ基体４０の筒壁４２とを円錐型の筒体８４で連結するようにしてもよい。
【発明の効果】
本発明は、上記のように構成されているから次の効果を奏する。
スリットバルブのバルブ基体のフランジを中栓の上壁上面とバルブ保持筒の間に押し込むだけで、スリットバルブを正確に位置決めして保持させるようにしているから、スリットバルブの取付が簡単になり、取付不良をなくすことができる。
中栓のキャップへの取付によって、スリットバルブが中栓とキャップの保持筒によって正確に位置決め保持され、キャップの容器への取着にあたって、スリットバルブの保持状態が変動することはない。
スリットバルブを中栓によって保持しているので、容器口部の構造を変更する必要はなく、従来の種々な容器を用いることができる。
【図面の簡単な説明】
【図１】本発明の吐出容器の斜視図である。
【図２】吐出容器の一部断面正面図である。
【図３】容器口部の拡大断面図である。
【図４】中栓を示す図で、（ａ）は平面図、（ｂ）は一部断面正面図である。
【図５】  スリットバルブを示す図で、（ａ）は平面図、（ｂ）は正面断面図、（ｃ）は底面図である。
【図６】  第２実施形態の説明図で、（ａ）は中栓の一部断面正面図、（ｂ）はスリットバルブの一部断面正面図、（ｃ）は中栓とスリットバルブの組立図である。
【図７】  第３実施形態の説明図で、（ａ）は中栓の一部断面正面図、（ｂ）はスリットバルブの一部断面正面図、（ｃ）は中栓とスリットバルブの組立図である。
【図８】  螺着式キャップの説明図である。
【図９】  スリットバルブの変形例である。
【符号の説明】
Ａ      容器
Ｂ      キャップ
Ｂ１    中蓋
Ｂ２                上蓋
Ｃ，Ｃａ，Ｃｂ      中栓
Ｄ，Ｄａ，Ｄｂ      スリットバルブ
１      口筒部
２      胴部
３      底部
１３      上壁
２１，３３，３３ａ，３３ｂ      バルブ保持筒
３０，３０ａ，３０ｂ      上壁
３１，３１ａ，３１ｂ      嵌合筒
３２，３２ａ，３２ｂ      上面
３４，３４ａ，３４ｂ      環状膨出部
３５，３５ａ              係合面
４０，４０ａ，４０ｂ      バルブ基体
４１，４１ａ，４１ｂ      バルブヘッド
４２，４２ａ，４２ｂ      筒壁
４３，４３ａ，４３ｂ      フランジ
４４，４４ａ              嵌合面
４５，４５ａ，４５ｂ      保持リング
４６，４６ａ，４６ｂ      外周面
４７，４７ａ，４７ｂ      膨出突条
４８      オリフィス形成壁
５１      スリット
６０      環状突条
６１      嵌合溝
６２      嵌合突条
７０      係合リング
７１      係合溝
７２      周辺部
【図１】
0003652458.tif 000002
【図２】
0003652458.tif 000003
【図３】
0003652458.tif 000004
【図４】
0003652458.tif 000005
【図５】
0003652458.tif 000006
【図６】
0003652458.tif 000007
【図７】
0003652458.tif 000008
【図８】
0003652458.tif 000009
【図９】
0003652458.tif 000010